(57)【要約】【目的】  本発明は、我々が生きていく上で欠くことのできない酸素・水素を、水中より自然に効率よく且つ安全に発生・供給する事を課題として、研究をすすめた。【構成】永久磁石・電磁石を相対させて、片方又は双方に動力（電動モーター・水力等）を用いて回転又は往復運動させる方法の酸素・水素製造装置。【選択図】  なし【特許請求の範囲】
【請求項１】
永久磁石・電磁石を相対させて、片方又は双方に動力（電動モーター・水力等）を用いて回転又は往復運動させる方法の酸素・水素製造装置。
【請求項２】
請求項１の回転運動する装置の相対する面のうち、作動する側の運動方向に対し直角又は角度を変え、溝を掘り込んだ構造の酸素・水素製造装置。
【請求項３】
請求項１の回転運動する装置のうち作動する側に羽根を組み込んだ構造の装置。
【請求項４】
請求項１から請求項３までの装置の部材あるいは本体全般に電気抵抗の小さい金属を使用した装置又は電気抵抗の小さい金属を補助材として使用・添着した装置。
【請求項５】
請求項１から請求項４までの装置で相対させる永久磁石・電磁石の片方を偶数極とすると、相対する極を奇数極又はランダムに配列した装置。
【発明の詳細な説明】
【技術分野】
【０００１】  本発明は我々あるいは生物が生きていく上で欠くことのできない酸素・水素を、自然に効率よく且つ安全に発生・供給する装置を提供するものである。
【背景技術】
【０００２】  これまで酸素を作り出す装置としては、中学の頃の理科に出てくる水の電気分解方式のビーカーに電極板をプラス側とマイナス側に設定して電気を流す方式が基本的であり、それに沿って装置が開発されてきた経緯があり、大量に工業用として酸素を抽出する技術は主に空気の成分である窒素の沸点−１９６℃、酸素の沸点−１８３℃の違いを利用した抽出方法が知られている。
また、養殖用・鑑賞魚用の酸素を水中に送り込む装置も通常は空気自体を水中に送り込み、水中に酸素の溶解を期待する考え方が主であった。しかしながらそれは、酸素を送りながら実は窒素成分をも水中に供給していた事になり、その結果植物プランクトン、主にアオコの光合成への手助けをしていた事になり、それを断つ必要があった。そのために該申請を願い出た次第である。
該装置の基本理論は水の浄化装置として特許願の申請をしている理論に沿って、できた装置である。（例えば特許文献１参照）
また、水の浄化装置として空気中の酸素を取り込んでミクロの泡状にして、ばっ気作用作用を利用した浄化装置も考えられている。（例えば特許文献２参照）
参考資料（例えば非特許文献１参照）もみられる。【０００３】
【特許文献１】  特願２００３−１６２９９４号公報
【特許文献２】  特開平１１−１０４６１６号公報
【非特許文献１】  （社）地盤工学会誌，２００２年１０月，第５０巻，第１０号，１３−１５ページ
【発明が解決しようとする課題】
【０００４】  本発明は、我々が生きていく上で欠くことのできない酸素・水素を、水中より自然に効率よく且つ安全に発生・供給する事を課題として、研究をすすめた。
【課題を解決するための手段】
【０００５】  該装置は水中で永久磁石・電磁石を相対させ、片方又は双方を動力（電動モーター・水力等）を用いて回転又は往復運動させる事で一定以上の強さの磁場を作ることにより電圧が発生し、電気分解による活性を有する酸素又は純酸素を中心として水素・イオンが発生することが科学的に確認することができた。
「動電学的浄化技術−その可能性と限界」（非特許文献１）より印加電圧が約２Ｖ以上であれば、陽極・陰極に次のような水の電気分解反応が起こる事が知られている。
この結果電極界面において電荷の不均衡が生じ、それを解消するためイオンの泳動が生ずると同時に、電位の勾配が形成されその周囲にもこれらの科学的変化が伝播する。
水溶中に吸着イオンがあれば、電気浸透は陽極から陰極に向かうことになる。陽極で生成する水素イオンは、他のイオンより泳動速度が速いため、陽極側から酸性化が始まる。
これらの反応は直接陰極への酸注入と陽極に塩酸注入等、及び、電気抵抗の少ないものを利用した反応極面の面積の増大、又は水酸化物イオンを陽極方向に移動させないことによって、反応速度を促進させることができる。
【実施例】
【０００９】  請求項１の永久磁石・電磁石を相対させて、片方又は双方に動力（電動モーター・水力等）を用いて回転又は往復運動させる方法の酸素製造装置は、いままでポンプにより噴水式・滝状落下式・水流式等、空気を水中に送り込む方法が一般的であったが、空気中の酸素比は約３割にとどまっていて、以外にも７割が窒素である。と言うことは水中に酸素の供給と共に窒素の補給も行なっている事になり、それは植物プランクトンの光合成のために貢献していたことになるのである。
水槽・生簀等の水の汚れ・水垢等はこれまでの空気での酸素及び窒素供給の影響であった。
該装置を水槽・生簀等の水中で作動させることにより、酸素及び水素が発生し、水素は気体の泡粒となり装置周辺に付着するのが確認できた。また酸素は水に溶解し、溶存酸素量の増加に貢献できる事が確認された。
請求項２の回転運動する装置の相対する面のうち、作動する側の運動方向に対し直角又は角度を変え、溝を掘り込んだ構造の該酸素製造装置とは電気分解で発生する気体、該酸素及び水素は静止状態の装置と水と接する面に付着し、該効果を阻害する為該装置の周辺の気泡を取り除くため攪拌が必要である。
請求項３の回転運動する装置のうち作動する側に羽根を組み込んだ構造の装置とは、磁石・電磁石と羽根のいづれを外側・内側に設置しても良いが、特定はしないが主に水流を動力として作動させ該効果を得る事ができる。
請求項４の該装置の部材あるいは本体全般に電気抵抗の小さい金属を使用した装置又は電気抵抗の小さい金属を補助材として使用・添着した装置とは、特定はしないがアルミニュウムを素材で使い、作動させることにより該素材の表面に気泡の付着が確認され、該素材の表面で電気分解が進行しているのが確認された。
請求項５は相対する極数が同数又は片方がその約数・倍数である場合該装置を始動させる時に係る磁石の引き合う力がモーターに直接負荷となる事で、起動できなかった。例えば８極対８極・８極対４極などは、それぞれ８極・４極の負荷が直接加わっている事になる。
該装置で相対させる永久磁石・電磁石の片方を例えば偶数極とすると、相対する極を奇数極又はランダムに配列することにより、近接する極数が減り起動時の負荷が軽減されてスムーズに始動することができるようになった。該パターンは特定するものではなく、最小公約数が偶数極に対して同公約数が奇数になる極であってもよく、あるいは奇数極に対してランダムなパターン極でも、ランダム同士の相対でもよい。
【発明の効果】
【００１０】  １．該酸素製造装置は、いままでポンプにより噴水式・滝状落下式・水流式等、空気を水中に送り込む方法が一般的であったが、空気中の酸素比は約３割にとどまっていて、いがいにも７割が窒素である。と言うことは水中に酸素の供給と共に窒素の補給も行なっている事になり、それは植物プランクトンの光合成のために貢献していたことになる。
水槽・生簀等の水の汚れ・水垢等はこれまでの空気での酸素及び窒素供給の影響であった。それらの根本原因である窒素供給が無く、植物プランクトン類の発生及びそれを死滅させる効果があるのが水の電気分解による該純酸素製造装置である。
以上の結果水槽の水は還元水状態となり、飲み水にしても塩素臭くなく美味しい水となり、透明度・水のにおい等が改善され、本来あるべき水の姿に帰ったものである。
２該装置を水槽・生簀等の水中で作動させることにより、酸素及び水素が発生し、水素は気体の泡粒となり装置の素材であるアルミ表面に付着するのが確認できた。また酸素は水に溶解し、溶存酸素量の増加に貢献できる事が確認された。
３．上記の通り酸素・水素の発生結果を得る事ができたことで、今後燃料としての水素の発生装置としても利用され、水さえあれば該装置と水素吸蔵合金等との複合的な利用効果が期待できるものである。
４．該装置は電気分解の作用により様々な効果が期待されるが、水溶液が塩を含むことにより、電流が流れやすくなり、該装置を海水に使用する事で、塩化ナトリウム・塩化カルシュウム・塩化カリウム等、塩化物を分解し、水道水に使用されている塩素含有の水溶液も同じであるが、次亜塩素酸が精製され、殺菌効果がより一層期待できるものである。
５．該装置で相対させる永久磁石・電磁石の片方を偶数極とすると、相対する極を奇数極又はランダムに配列、あるいはランダム同士に相対することにより、起動時の負荷が二極以内に軽減されてスムーズに始動することができるようになった。
【化学反応式】
【００１１】
2006022398.tif 000002